(57)【要約】【課題】スピーカに関連する構成を大型化することなく、演出の向上を図ることが可能な遊技機を提供すること。【解決手段】弾球遊技機１に備えられたスピーカ１５は、コーン状の振動板１８と、筒状のボイスコイル１９と、ボイスコイル１９と協働して振動板１８を駆動する磁気回路２０とを含む。ボイスコイル１９の前面には、透光性を有するセンターキャップ３２が取り付けられている。センターキャップ１９の後方の第１の空間３４には、第１のＬＥＤ３７が配置されている。第１のＬＥＤ３７の発光状態では、第１のＬＥＤ３７からの光が、センターキャップ３２を透過し、スピーカ１５の前面から前方に向けて照射される。【選択図】図３
2017000244.tif 000002
【特許請求の範囲】
【請求項１】
スピーカを備えた遊技機であって、
前記スピーカは、
コーン状の振動板と、
前記振動板の中央部に配置された筒状のボイスコイルと、
前記ボイスコイルと協働して前記振動板を駆動する磁気回路と、
前記振動板、前記ボイスコイルまたは前記磁気回路によって取り囲まれた空間に収容され、前方に向かう光を発光する発光手段とを含む、遊技機。
【請求項２】
前記スピーカは、透光性を有し、前記ボイスコイルの前面を覆うセンターキャップをさらに含み、
前記発光手段は、前記センターキャップの後方に配置されている、請求項１に記載の遊技機。
【請求項３】
前記発光手段は、前記振動板によって取り囲まれた第１の空間に収容配置された発光体を含む、請求項１または２に記載の遊技機。
【請求項４】
前記発光手段は、前記ボイスコイルによって取り囲まれた第２の空間に収容配置された発光体を含む、請求項１または２に記載の遊技機。
【請求項５】
前記発光手段は、
少なくとも、前記磁気回路によって取り囲まれた第３の空間を挿通する導光棒と、
前記磁気回路よりも後方で、前記導光棒の後端面に対向する発光体とを含む、請求項１または２に記載の遊技機。
【請求項６】
前記スピーカは、当該スピーカの前方を覆う前カバーの後方に配置され、前後方向に交差する方向に延びる導光板であって、前記導光棒に一体に設けられた導光板をさらに含む、請求項５に記載の遊技機。
【発明の詳細な説明】
【技術分野】
【０００１】
この発明は、スピーカを備えた遊技機に関する。
【背景技術】
【０００２】
従来から遊技機において、スピーカの周囲での演出を向上させるべく、スピーカの周辺に発光体を配置する構成が知られている。下記特許文献１には、スピーカの周辺近傍に配置されるＬＥＤの前面側を、光拡散性を有するレンズカバーにより一体的に被覆する構成が開示されている。また、下記特許文献２には、多数のＬＥＤを有する基板を、スピーカの前面を覆うように配置すると共に、当該基板の前方にスピーカカバーを配置する構成が開示されている。
【先行技術文献】
【特許文献】
【０００３】
【特許文献１】特開２０１１−１８９０２３号公報
【特許文献２】特開２００３−１２６３３８号公報
【発明の概要】
【発明が解決しようとする課題】
【０００４】
しかしながら、特許文献１および特許文献２に開示されている構成は、いずれもスピーカの外部に発光手段（ＬＥＤ）を配置する構成であるので、スピーカに関連する構成が大型化してしまい、その結果、遊技における配置箇所に制約が加わるおそれがある。
そこで、この発明は、スピーカに関連する構成を大型化することなく、演出の向上を図ることが可能な遊技機を提供することを目的とする。
【課題を解決するための手段】
【０００５】
前記の目的を達成するための請求項１に記載の発明は、スピーカを備えた遊技機であって、前記スピーカは、コーン状の振動板と、前記振動板の中央部に配置された筒状のボイスコイルと、前記ボイスコイルと協働して前記振動板を駆動する磁気回路と、前記振動板、前記ボイスコイルまたは前記磁気回路によって取り囲まれた空間に収容され、前方に向かう光を発光する発光手段とを含む、遊技機を提供する。
【０００６】
請求項２に記載の発明は、前記スピーカは、透光性を有し、前記ボイスコイルの前面を覆うセンターキャップをさらに含み、前記発光手段は、前記センターキャップの後方に配置されている、請求項１に記載の遊技機である。
請求項３に記載の発明は、前記発光手段は、前記振動板によって取り囲まれた第１の空間に収容配置された発光体を含む、請求項１または２に記載の遊技機である。
【０００７】
請求項４に記載の発明は、前記発光手段は、前記ボイスコイルによって取り囲まれた第２の空間に収容配置された発光体を含む、請求項１または２に記載の遊技機である。
請求項５に記載の発明は、前記発光手段は、少なくとも、前記磁気回路によって取り囲まれた第３の空間を挿通する導光棒と、前記磁気回路よりも後方で、前記導光棒の後端面に対向する発光体とを含む、請求項１または２に記載の遊技機である。
【０００８】
請求項６に記載の発明は、前記スピーカは、当該スピーカの前方を覆う前カバーの後方に配置され、前後方向に交差する方向に延びる導光板であって、前記導光棒に一体に設けられた導光板をさらに含む、請求項５に記載の遊技機である。
【発明の効果】
【０００９】
本発明によれば、スピーカに関連する構成を大型化することなく、演出の向上を図ることが可能な遊技機を提供できる。
【図面の簡単な説明】
【００１０】
【図１】本発明の第１の実施形態に係る遊技機が適用された弾球遊技機の斜視図である。
【図２】前記弾球遊技機に含まれるスピーカ装置のスピーカの構成を示す正面図である。
【図３】図２の切断面線III−IIIから見た断面図である。
【図４】前記弾球遊技機の電気的構成を示すブロック図である。
【図５】本発明の第２の実施形態に係るスピーカの構成を示す断面図である。
【図６】本発明の第３の実施形態に係るスピーカの構成を示す断面図である。
【図７】本発明の第４の実施形態に係るスピーカの構成を示す断面図である。
【発明を実施するための形態】
【００１１】
以下では、この発明の実施の形態を、添付図面を参照して詳細に説明する。
図１は、本発明の第１の実施形態に係る遊技機が適用された弾球遊技機（パチンコ機）１の斜視図である。弾球遊技機１は、上下に長手の略直方体である。弾球遊技機１は、遊技店内に配列された遊技島への取付け（設置）のための略四角枠状の外枠２と、この外枠２に対し片開き可能に取り付けられた前枠３とを含む。外枠２の左右一方、たとえば左側のヒンジ４によって、前枠３はヒンジ４の回動軸まわりに回動可能に保持されている。
【００１２】
前枠３の上部分には、遊技盤（図示しない）が収容保持されている。前枠３の下部分には、発射装置（図示しない）が収容保持されている。前枠３の手前側には、前扉６が開閉可能に設けられている。また、前枠３の手前側には、前扉６の下方に、下部開閉板７が開閉可能に設けられている。前扉６には、遊技盤に対向する位置に略円形の開口部８が形成されている。この開口部８には、ガラス板などの透明板９が嵌められていて、前扉６を閉じた状態で、その透明板９を介して、透明板９の奥側の遊技盤を視認することができるようになっている。前扉６の上部には、左右一対のスピーカ装置（スピーカに関連する構成）１０が配置されている。また、前扉６の下部には、左右一対のランプユニット１１が配置されている。
【００１３】
下部開閉板７には、遊技に使用する遊技玉（パチンコ玉）を貯留しておくための上皿１２と、上皿１２からオーバーフロー路（図示しない）を通して溢れた遊技玉を受け止める下皿１３とが上下に並んで設けられている。また、下皿１３の右側には、遊技玉を遊技盤に打ち出す際に操作されるハンドル１４が配置されている。遊技者が、ハンドル１４を把持して回転操作することにより、発射装置から遊技盤に向けて遊技玉を発射することができ、また、ハンドル１４の回転角度を調整することにより、遊技盤の前面に向けて発射される遊技玉の勢いを調節することができる。
【００１４】
図２は、スピーカ装置１０のスピーカ１５の構成を示す正面図である。図３は、図２の切断面線III−IIIから見た断面図である。
スピーカ装置１０は、スピーカ１５と、スピーカ１５の前方を覆う前カバー（図３では、二点鎖線で図示。図５でも同様。）１６とを含む。スピーカ装置１０（スピーカ１５）は、その放音方向が弾球遊技機１の前方と一致するような姿勢で、前扉６の前面に取り付けられている。以下、スピーカ１５の放音方向を前方とし、当該前方の反対の方向を後方として、それぞれ説明する。
【００１５】
スピーカ１５は、たとえばダイナミックスピーカであり、略カップ状のフレーム１７と、フレーム１７に保持されている、たとえばコーン状の振動板１８と、振動板１８に連結されているボイスコイル１９と、ボイスコイル１９と協働して振動板１８を振動させる磁気回路２０とを含む。
磁気回路２０は、プレート２１、リングマグネット２２およびヨーク２３を含む。プレート２１は円盤状をなしており、フレーム１７に後方から固定されている。プレート２１の後方には、永久磁石を用いて構成されたリングマグネット２２が配置されている。リングマグネット２２には、後方から、円盤状のヨーク２３が固定されている。ヨーク２３は、ヨーク２３と一体的に設けられ、ヨーク２３の内周端から前方に向けて突出する（前後方向に延びている）円筒状のポールピース２４を有している。ポールピース２４は、プレート２１およびリングマグネット２２の内周を挿通している。
【００１６】
ポールピース２４の外周とプレート２１の内周との間には磁気ギャップ２５が設けられており、この磁気ギャップ２５には、円筒状のボビン２６がその中心軸線を前後方向に向けた状態で配置されている。ボビン２６は、その周囲にボイスコイル１９が巻回されたボイスコイル保持部材である。ボビン２６は、振動板１８の内周部（中央部）１８Ａが接続されていると共に、ダンパ２７の内周部２７Ａが接続されている。ダンパ２７は、ボイスコイル１９（ボビン２６）を保持するための部材であり、断面形状が前後方向に波打つ凹凸状をなしている。ダンパ２７は、その外周部２７Ｂがフレーム１７内に位置決めされている。
【００１７】
振動板１８の外周部には、断面形状が前に凸の半円状の環状のエッジ２８が取り付けられている。また、振動板１８の外周部には、エッジ２８よりも外周側の前面に、前カバー１６との間に介装される環状のシール部材２９が配置されている。
フレーム１７の前端には、フランジ部６７から径方向の外方に向けて突出する突部３０が、周方向に間隔を空けて複数箇所（たとえば３箇所）設けられている。各突部３０の中央には、フレーム１７を前後方向に貫通する穴６６が形成されている。穴６６は、たとえば、スピーカ１５を、前扉６の前面、またはスピーカ１５を収容する箱状のケーシング（図３では、図示しない。図５でも同様。）に装着する際に用いられるねじ挿通穴である。
【００１８】
振動板１８の内周部、換言するとボイスコイル１９の前面には、中央部が前方へと膨らむドーム状のセンターキャップ３２が取り付けられている。この実施形態では、センターキャップ３２は、透明の合成樹脂材料（たとえば、アクリル樹脂、ポリカーボネート（ＰＣ）、ＡＢＳ樹脂）を用いて形成されており、そのため、センターキャップ３２は、透光性を有している。センターキャップ３２は、ボイスコイル１９自体の振動によって生じる高い周波数の振動の前側への放射を防止または抑制するため、また、次に述べる筒状空間３３にごみや埃が進入するのを抑制または防止するべく設けられている。
【００１９】
センターキャップ３２の後方には、円筒状の筒状空間３３が形成されている。センターキャップ３２によって筒状空間３３の前面が閉塞されている。筒状空間３３は、ドーム状のセンターキャップ３２の内部空間（センターキャップ３２と第１のＬＥＤ基板３８との間の狭空間）である円筒状の第１の空間（換言すると、振動板１８によって取り囲まれた空間）と、ボイスコイル１９によって取り囲まれた円筒状の第２の空間３５と、円筒状のポールピース２４によって取り囲まれた円筒状の第３の空間３６とを含む。第１〜第３の空間３４〜３６は、互いに連通している。
【００２０】
筒状空間３３には、主面の一方に、１または複数個（図１では１つを図示）の第１のＬＥＤ（発光体）３７が実装された円板状の第１のＬＥＤ基板３８と、第１のＬＥＤ基板３８を保持するための第１のＬＥＤホルダ３９とが収容されている。第１のＬＥＤホルダ３９は、前後方向に長手の部材であり、第２の空間３５と第３の空間３６とに跨って配置されている。第１のＬＥＤホルダ３９は、第１のＬＥＤ基板３８を、当該第１のＬＥＤホルダ３９の前端部よりもやや後方位置で保持している。また、第１のＬＥＤホルダ３９は、第１のＬＥＤ基板３８を、第１のＬＥＤ３７の実装面を前方に向けた状態でかつ前後方向に垂直な姿勢で保持している。第１のＬＥＤ３７の周囲は、第１のＬＥＤ３７から発光を散乱させるためのレンズ４０によって取り囲まれている。
【００２１】
第１のＬＥＤホルダ３９は、第２の空間３５に収容される（つまり、前側に設けられる）第１の部分４１と、第３の空間３６に収容される（つまり、後ろ側に設けられる）第２の部分４２とを一体に有し、合成樹脂材料（たとえば、ポリカーボネート（ＰＣ）、ＡＢＳ樹脂）を用いて形成されている。第１および第２の部分４１，４２は、互いに同軸に設けられているが、第１の部分４１は第２の部分４２よりも大径を有している。
【００２２】
第１の部分４１は、第２の部分４２よりも大径を有している。第１の部分４１は、互いに同心状の内環状部４３および外環状部４４を含む２重環状に構成されている。図３では、第１の部分４１の前端部４５は開放されている。外環状部４４の前端部４５には、第１のＬＥＤ基板３８を前側から内嵌装着させるための第１の嵌合部４６が設けられている。この実施形態では、第１のＬＥＤ基板３８が第１の空間３４と第２の空間３５との間の境界部分に配置されており、そのため、第１のＬＥＤ３７は第１の空間３４に収容配置されている。
【００２３】
また、外環状部４４の前端は、第１の嵌合部４６に装着された第１のＬＥＤ基板３８の後ろ面（実装面と反対側の面）に近接する位置まで延びている。第１のＬＥＤ基板３８が第１の嵌合部４６に装着された状態では、第１の部分４１の内部は、内室４７と外室４８とに区画形成されている。第２の部分４２は中空に設けられている。第１の部分４１の内室４７および第２の部分４２の内部は、互いに連通しており、ＬＥＤ用の第１の配線４９が挿通するための挿通空間を形成している。第１の配線４９は、一端が第１のＬＥＤ基板３８に接続されており、他端が第２の枠中継基板６４（図４参照）に接続されている。第１の配線４９は、ＬＥＤ給電用の給電線やＬＥＤ制御用の信号線を含む。
【００２４】
図４は、弾球遊技機１の電気的構成を示すブロック図である。
弾球遊技機１は、ＡＣ２４Ｖの交流電圧を受けて各種の直流電圧やシステムリセット信号などを出力する電源基板５１と、弾球遊技機１の遊技動作制御を司る主制御基板５２と、弾球遊技機１の演出制御を司る演出制御基板５３と、液晶表示ユニット５４を駆動するための液晶制御基板５５と、賞玉払出装置５６を駆動して遊技玉を払い出すための払出制御基板５７と、遊技者のハンドル１４（図１参照）の回転操作に基づいて、発射装置（図示しない）を駆動して遊技玉を発射させるための発射制御基板５８とを備えている。各制御基板５１，５２，５３，５５，５７，５８には、たとえばＣＰＵ、ＲＡＭおよびＲＯＭを含む構成のマイクロコンピュータが実装されている。
【００２５】
図４に示す基板のうち、払出制御基板５７、発射制御基板５８、電源基板５１および第２の枠中継基板６４が、前枠３に設けられた部材（枠側部材。図３において一点鎖線で囲んで表示）である。
一方、図４に示す基板のうち、主制御基板５２、演出制御基板５３、液晶制御基板５５、演出インターフェイス基板６１、主基板中継基板５９、電源中継基板６２および第１の枠中継基板６３は、遊技盤（図示しない）の背面に取り付けられた盤側部材である。
【００２６】
主制御基板５２には、主基板中継基板５９を介して電源基板５１および払出制御基板５７がそれぞれ接続されており、演出インターフェイス基板６１を介して、演出制御基板５３および液晶制御基板５５がそれぞれ接続されている。電源基板５１は、システムリセット信号、ＲＡＭクリア信号、電圧降下信号、ＤＣ１２ＶおよびＤＣ３２Ｖの電圧、ならびにバックアップ用電源電圧を、主基板中継基板５９を介して主制御基板５２に与えている。
【００２７】
主制御基板５２は、演出制御基板５３に向けて制御コマンドを出力する。主制御基板５２からの制御コマンドは、演出インターフェイス基板６１を介して演出制御基板５３に与えられる。また、主制御基板５２から出力される制御コマンドは、主基板中継基板５９を介して払出制御基板５７に入力される。
電源基板５１は、システムリセット信号、ＲＡＭクリア信号、電圧降下信号、電源電圧、およびバックアップ用電源電圧を払出制御基板５７に与えている。払出制御基板５７は、主制御基板５２からの制御コマンドに基づいて、賞玉払出装置５６の払出し動作を制御する。
【００２８】
演出インターフェイス基板６１には、電源中継基板６２を介して電源基板５１が接続されている。電源基板５１は、また、システムリセット信号、ならびに交流および直流の電源電圧を、電源中継基板６２を介して演出インターフェイス基板６１に与えている。演出インターフェイス基板６１は、電源基板５１からの電源電圧およびシステムリセット信号を、演出制御基板５３に与えている。
【００２９】
演出制御基板５３は、主制御基板５２からの制御コマンドに基づいて複数の演出パターンの中から所定の演出パターンを選択し、この演出パターンに基づいて液晶表示ユニット５４の具体的な演出内容を決定し、その演出内容が記された制御コマンドを液晶制御基板５５に送信する。演出制御基板５３から出力される制御コマンドは、演出インターフェイス基板６１を介して液晶制御基板５５に与えられる。液晶制御基板５５には、電源基板５１からのシステムリセット信号および電源電圧が、演出インターフェイス基板６１を経由して入力される。液晶制御基板５５は、演出制御基板５３から送出される制御コマンドに基づいて液晶表示ユニット５４の表示を制御する。
【００３０】
システムリセット信号は、電源基板５１に交流電源２４Ｖが投入（供給）されたことを示す信号である。ＲＡＭクリア信号は、主制御基板５２および払出制御基板５７のそれぞれのマイクロコンピュータのＲＡＭの記憶内容の初期化を指示するための信号である。
演出インターフェイス基板６１には、第１の枠中継基板６３、第２の枠中継基板６４およびアンプ６５を介してスピーカ１５（図３参照）の磁気回路２０（図３参照）が接続されている。アンプ６５は、スピーカ１５に近接して配置されている。また、演出インターフェイス基板６１には、第１の枠中継基板６３および第２の枠中継基板６４を介して、スピーカ１５の第１のＬＥＤ３７およびランプユニット１１がそれぞれ接続されている。演出制御基板５３は、主制御基板５２からの制御コマンドに基づいて複数の演出パターンの中から所定の演出パターンを選択し、この演出パターンに基づいて、第１の枠中継基板６３および第２の枠中継基板６４を介して、ランプユニット１１の点灯動作およびスピーカ１５の第１のＬＥＤ３７の点灯動作を制御する。
【００３１】
また、演出制御基板５３は、主制御基板５２からの制御コマンドに基づいて複数の演出パターンの中から所定の演出パターンを選択し、この演出パターンに基づいて、第１の枠中継基板６３および第２の枠中継基板６４を介して、スピーカ１５の音声出力を制御する。具体的には、演出制御基板５３の音声再生ＬＳＩ（図示しない）から出力される音声信号は、演出インターフェイス基板６１、第１の枠中継基板６３および第２の枠中継基板６４を介して、アンプ６５に与えられ、アンプ６５で増幅されて出力され、音声電流として、スピーカ１５の磁気回路２０に供給される。これにより、演出制御基板５３による音声演出が実現される。
【００３２】
前述のように、この実施形態では、音声電流（音声信号）と第１のＬＥＤ３７の点灯駆動用の信号とが互いに別の信号で構成されている。すなわち、スピーカ１５の音声信号を用いて第１のＬＥＤ３７の点灯駆動を行う構成ではない。そのため、第１のＬＥＤ３７の輝度が、スピーカ１５の音声出力（音声信号）に応じて変化するような構成ではない。
前述のように、第１のＬＥＤ３７の点灯動作およびスピーカ１５の音声出力動作は、それぞれ、複数の演出パターンの中から選択される演出パターンによって決定される。選択対象の演出パターンの中には、第１のＬＥＤ３７の点灯動作の内容が共通しているがスピーカ１５の音声出力動作の内容が互いに異なっている複数の演出パターンが含まれていてもよい。また、選択対象の演出パターンの中には、スピーカ１５の音声出力動作の内容が共通しているが第１のＬＥＤ３７の点灯動作の内容が互いに異なっている複数の演出パターンが含まれていてもよい。
【００３３】
センターキャップ３２が透光性を有しているので、センターキャップ３２の後方に位置
する第１の空間３４に配置された第１のＬＥＤ３７が発光させられると、第１のＬＥＤ３７からの光が、センターキャップ３２を透過し、スピーカ１５の前面から前方に向けて照射される。すなわち、第１のＬＥＤ３７を発光させることによりスピーカ１５の前面の中央部を光らせることができる。
【００３４】
スピーカ１５の前面に導かれた、第１のＬＥＤ３７からの光は、スピーカ１５の前方を覆う前カバー１６に形成された多数の第１の透音穴３１（図３参照）を介して前カバー１６の前方へと導かれる（漏れる）。したがって、スピーカ装置１０の内部が光っていることを、遊技者等が弾球遊技機１の前面側から視認できる。
以上により第１の実施形態によれば、第１のＬＥＤ３７を発光させることによりスピーカ１５の前面の中央部を光らせることができる。これにより、スピーカ装置１０（図１参照）の周辺の演出を向上させることができる。従来において、弾球遊技機１（図１参照）の前面のうちスピーカ装置１０の周辺は演出性に乏しかったが、スピーカ１５の前面を発光させることにより、スピーカ装置１０の周辺における演出を向上させることができる。
【００３５】
また、第１のＬＥＤ３７が第１の空間３４に収容されている。すなわち、スピーカ１５に第１のＬＥＤ３７が内蔵されている。スピーカ１５の外部に発光手段（第１のＬＥＤ３７）を配置する構成ではないので、スピーカ装置１０が大型化することがない。これにより、スピーカ装置１０を大型化することなく、演出の向上を図ることが可能な弾球遊技機１を提供できる。
【００３６】
また、従来、センターキャップ３２の後方の空間には特段何も配置されておらず、そのような空き領域を第１のＬＥＤ３７の配置領域としている。したがって、第１のＬＥＤ３７を配置するために、他の機能を犠牲にするようなことがない。
また、センターキャップ３２を透光性に設けると共に、センターキャップ３２の後方に位置する第１の空間３４に第１のＬＥＤ３７を配置する。これにより、高い周波数の振動の放射の防止または抑制、および筒状空間３３へのごみや埃の進入の防止を図りながら、スピーカ１５の前面の中央部を発光させることできる。
【００３７】
図５は、本発明の第２の実施形態に係る遊技機が適用された弾球遊技機２０１に含まれるスピーカ２１５の構成を示す断面図である。第２の実施形態において、第１の実施形態に示された各部に対応する部分には、図１〜図４の場合と同一の参照符号を付して示し、説明を省略する。
第２の実施形態に係るスピーカ２１５が、第１の実施形態に係るスピーカ１５と相違する点は、第１のＬＥＤホルダ３９に代えて、第２のＬＥＤホルダ２３９を含む点である。以下、第２の実施形態の特徴部分を具体的に説明する。
【００３８】
筒状空間３３には、主面の一方に１または複数個（図５では１つを図示）の第２のＬＥＤ（発光体）２３７が実装された円板状の第２のＬＥＤ基板２３８と、第２のＬＥＤ基板２３８を保持するための第２のＬＥＤホルダ２３９とが収容されている。第２のＬＥＤホルダ２３９は、前後方向に長手の部材であり、第２の空間３５と第３の空間３６とに跨って配置されている。第２のＬＥＤホルダ２３９は、第２のＬＥＤ基板２３８を、当該第２のＬＥＤホルダ２３９の前端部よりも後方に退避した位置で保持している。また、第２のＬＥＤホルダ２３９は、第２のＬＥＤ基板２３８を、第２のＬＥＤ２３７の実装面を前方に向けた状態でかつ前後方向に垂直な姿勢で保持している。第２のＬＥＤ２３７の周囲は、第２のＬＥＤ２３７から発光を散乱させるためのレンズ２４０によって取り囲まれている。
【００３９】
第２のＬＥＤホルダ３９は、第２の空間３５に収容される（つまり、前側に設けられる）第１の部分２４１と、第３の空間３６に収容される（つまり、後ろ側に設けられる）第２の部分２４２とを一体に有し、合成樹脂材料（たとえば、ポリカーボネート（ＰＣ）、ＡＢＳ樹脂）を用いて形成されている。第１および第２の部分２４１，２４２は、互いに同軸に設けられている。
【００４０】
第１の部分２４１は、円筒部２４３と、円筒部２４３の前端から前方に向けて連続するラッパ状の湾曲部２４４とを含む。円筒部２４３と湾曲部２４４との外周の境界部分には、第２のＬＥＤ基板２３８を前側から内嵌装着させるための第２の嵌合部２４６が設けられている。第２のＬＥＤ基板２３８が第２の嵌合部２４６に装着された状態では、第２のＬＥＤ基板２３８が第２の空間３５の前後方向の中間位置に配置されており、そのため、第２のＬＥＤ３７も第２の空間３５に収容配置されている。
【００４１】
第２のＬＥＤ基板２３８が第２の嵌合部２４６に装着された状態では、第１の部分２４１の内部は中空である。また、第２の部分２４２は中空に設けられている。第１の部分２４１の内部および第２の部分２４２の内部は、互いに連通しており、ＬＥＤ用の第２の配線２４９が挿通するための挿通空間を形成している。第２の配線２４９は、一端が第２のＬＥＤ基板２３８に接続されており、他端が第２の枠中継基板６４（図４参照）に接続されている。第２の配線２４９は、ＬＥＤ給電用の給電線やＬＥＤ制御用の信号線を含む。
【００４２】
第２の実施形態によれば、第１の実施形態において述べた作用効果と同等の作用効果を奏する。
図６は、本発明の第３の実施形態に係るスピーカ３１５の構成を示す断面図である。第３の実施形態において、第１の実施形態に示された各部に対応する部分には、図１〜図４の場合と同一の参照符号を付して示し、説明を省略する。
【００４３】
第３の実施形態に係るスピーカ３１５が、第１の実施形態に係るスピーカ１５と相違する点は、ＬＥＤ（第３のＬＥＤ３３７）を、筒状空間３３ではなく、ポールピース２４よりも後方に配置すると共に、ＬＥＤ（第３のＬＥＤ３３７）からの光を、第１の導光部材３０２を介して、筒状空間３３の前面側（ボイスコイル１９の前面側）へと導く点である。すなわち、第１および第２の実施形態の場合とは異なり、ＬＥＤ基板を筒状空間３３内に保持するためのＬＥＤホルダは設けられていない。以下、第３の実施形態の特徴部分を具体的に説明する。
【００４４】
第３の実施形態においてポールピース２４の内径は、第１の実施形態の場合よりも小径に設けられている。そのため、第３の実施形態に係る第３の空間３３６は、ポールピース２４によって取り囲まれた円筒状の空間という点では第１の実施形態に係る第３の空間３６と同等であるものの、当該第３の空間３６よりも小径に設けられている。
第１の導光部材３０２は、前後方向に延びる円筒棒状の第１の導光棒３０３と、第１の導光棒３０３の前端部に設けられた放光部３０４とを一体に含む。第１の導光部材３０２は、透明の合成樹脂材料（たとえば、アクリル樹脂、ポリカーボネート（ＰＣ）、ＡＢＳ樹脂）を用いて一体的に形成されている。第１の導光棒３０３は、第３の空間３３６を前後に挿通している。第１の導光棒３０３は第１の後端面３０６を有しており、第１の後端面３０６は、ポールピース２４よりも後方に位置している。第１の導光棒３０３はポールピース２４に内嵌固定されており、これにより、第１の導光部材３０２がポールピース２４に位置決めされている。
【００４５】
放光部３０４は、前方に向かうに従って拡径する円錘状をなし、第３の空間３３６の空間に位置している。図６では、放光部３０４は第３の空間３３６の後端部に配置されている。放光部３０４の前面に形成される第１の円錐面３０５には粗面加工が施されており、第１の導光棒３０３から放光部３０４に導かれる光が、第１の円錐面３０５から前方に向けて放たれる。すなわち、第１の円錐面３０５は放光面として機能する。
【００４６】
ポールピース２４よりも後方には、１または複数個（図６では２つを図示）の第３のＬＥＤ（発光体）３３７を前面に実装した第３のＬＥＤ基板３３８が配置されている。第３のＬＥＤ基板３３８には、他端が第２の枠中継基板６４（図４参照）に接続されたＬＥＤ用の第３の配線３４９の一端が接続されている。第３の配線３４９は、ＬＥＤ給電用の給電線やＬＥＤ制御用の信号線を含む。第３のＬＥＤ基板３３８は、第３のＬＥＤ３３７が、第１の導光棒３０３の第１の後端面３０６に近接対向するように配置されている。第３のＬＥＤ基板３３８は、前後方向に垂直な姿勢で、たとえば、スピーカ３１５を収容する箱状のケーシング３０７の底面に支持されている。
【００４７】
第３のＬＥＤ３３７の発光状態（点灯状態）になると、第３のＬＥＤ３３７から発せられた光が、第１の後端面３０６から第１の導光棒３０３に入り、第１の導光棒３０３の内部を全反射しながら放光部３０４へと導かれ、放光部３０４の第１の円錐面３０５から前方へと放たれる。すなわち、第３のＬＥＤ３３７を発光させることによりスピーカ３１５の前面の中央部を光らせることができる。
【００４８】
スピーカ３１５の前面に導かれた、第３のＬＥＤ３３７からの光は、スピーカ３１５の前方を覆う前カバー１６に形成された多数の第１の透音穴３１を介して前カバー１６の前方へと導かれる（漏れる）。したがって、遊技者等が、スピーカ装置１０の内部が光っていることを弾球遊技機１の前面側から視認できる。
第３の実施形態によれば、第１の実施形態において述べた作用効果と同等の作用効果を奏する。
【００４９】
また、第３の実施形態では、第１の実施形態に加えて、次のような作用効果を奏する。すなわち、スピーカ３１５の内部で発光する発光手段が、第３の空間３３６を挿通する第１の導光棒３０３と、第１の導光棒３０３の第１の後端面３０６に対向する第３のＬＥＤ３３７とを含むので、第３のＬＥＤ３３７や第３のＬＥＤ基板３３８を、筒状空間３３の外部（すなわち、筒状空間３３よりも後方の位置）に配置できる。これにより、ＬＥＤ配置のレイアウトに自由度を持たせることができ、ポールピース２４の内径が小さい場合であっても、スピーカ３１５の前面の中央部を光らせることができる。
【００５０】
図７は、本発明の第４の実施形態に係るスピーカ４１５の構成を示す断面図である。第４の実施形態において、第３の実施形態に示された各部に対応する部分には、図６の場合と同一の参照符号を付して示し、説明を省略する。
第４の実施形態に係るスピーカ４１５が、第３の実施形態に係るスピーカ１５と相違する点は、ボイスコイル１９の前面（すなわち筒状空間３３の前面）にセンターキャップ３２を配置しない点、および、スピーカ４１５が、前カバー１６の後方に配置され、前後方向に直交する（交差する）方向に延びる導光板４０４を含む点、および導光板４０４が導光棒（第２の導光棒４０３）に一体に設けられている点である。以下、第４の実施形態の特徴部分を具体的に説明する。
【００５１】
第２の導光部材４０２は、前後方向に延びる円柱棒状の第２の導光棒４０３と、第２の導光棒４０３の前端部に設けられた導光板４０４とを一体に含む。第２の導光部材４０２は、透明の合成樹脂材料（たとえば、アクリル樹脂、ポリカーボネート（ＰＣ）、ＡＢＳ樹脂）を用いて一体的に形成されている。第２の導光棒４０３は、筒状空間３３を前後に挿通している。第２の導光棒４０３は第２の後端面４０６を有しており、第２の後端面４０６は、ポールピース２４よりも後方に位置している。第２の導光棒４０３の前端は、振動板１８の前面よりも前方に突出しており、前カバー１６の後ろ面の間近の位置にまで達している。第２の導光棒４０３は、前後に亘って同一径を有する円柱状をなしている。
【００５２】
導光板４０４は、前カバー１６の後ろ面に、前カバー１６の後方の略全域を覆うように取り付けられている。導光板４０４は、前カバー１６の後ろ面に密着するように設けられている。図７では、前カバー１６の後ろ面が、その中央部が前方へと膨らむドーム状に設けられており、そのため、導光板４０４も、その中央部が前方へと膨らむドーム状に設けられている。また、前カバー１６には、その中央部に、たとえば貫通穴から構成される透過窓４０７が形成されている。導光板４０４の前面４０８の中央部には、前方に突出する円形の突出部４０９が形成されており、突出部４０９が透過窓４０７に内嵌し、その円形の前面が前カバー１６の前方に臨んでいる。導光板４０４には、正面視において、突出部４０９が形成されている領域を除き、略全域に多数の第２の透音穴４３１が形成されている。各第２の透音穴４３１は、導光板４０４を前後に貫通する貫通穴で構成されており、前カバー１６の第１の透音穴３１に１対１対応で設けられている。各第２の透音穴４３１は、正面視で、対応する第１の透音穴３１に相当する位置に配置されており、また、対応する第１の透音穴３１に整合する正面形状を有している。
【００５３】
導光板４０４の前面４０８の全域には粗面加工が施されており、第２の導光棒４０３から導光板４０４に導かれる光が、前面４０８から前方に向けて放たれる。すなわち、前面４０８は放光面として機能する。
突出部４０９の前面には、第２の円錐面４０５が形成されている。第２の円錐面４０５には粗面加工が施されており、第２の導光棒４０３から導光板４０４に導かれる光が、第２の円錐面４０５から前方に向けて放たれる。すなわち、第２の円錐面４０５も放光面として機能する。
【００５４】
ポールピース２４よりも後方には、１または複数個（図７では１つを図示）の第４のＬＥＤ（発光体）４３７を前面に実装した第４のＬＥＤ基板４３８が配置されている。第４のＬＥＤ基板４３８には、他端が第２の枠中継基板６４（図４参照）に接続されたＬＥＤ用の第４の配線４４９の一端が接続されている。第４の配線４４９は、ＬＥＤ給電用の給電線やＬＥＤ制御用の信号線を含む。第４のＬＥＤ基板４３８は、第４のＬＥＤ４３７が、第２の導光棒４０３の第２の後端面４０６に近接対向するように配置されている。第４のＬＥＤ基板４３８は、前後方向に垂直な姿勢で、たとえば、スピーカ４１５を収容する箱状のケーシング３０７の底面に支持されている。
【００５５】
第４のＬＥＤ４３７の発光状態（点灯状態）になると、第４のＬＥＤ４３７から発せられた光が、第２の後端面４０６から第２の導光棒４０３に入り、第２の導光棒４０３の内部を全反射しながら導光板４０４へと導かれる。そして、導かれた光は、導光板４０４の前面４０８から前方に向けて放たれると共に、第２の円錐面４０５から前方に向けて放たれる。導光板４０４の前面４０８の全域から放たれた光は、前カバー１６に形成された多数の第１の透音穴３１（図３参照）を介して前カバー１６の前方へと導かれる（漏れる）。したがって、遊技者等が、スピーカ装置１０の内部が光っていることを弾球遊技機１の前面側から視認できる。また、第２の円錐面４０５からも、前方に向けて光が放たれるので、第１の透音穴３１だけでなく、前カバー１６の前面の中央部をも光らせることができる。
【００５６】
第４の実施形態によれば、第３の実施形態において述べた作用効果と同等の作用効果を奏する。
また、第４の実施形態では、第３の実施形態に加えて、次のような作用効果を奏する。すなわち、スピーカ４１５が、前カバー１６の後方に配置され、前後方向に略直交する方向に延びる導光板４０４を含み、かつ導光板４０４が第２の導光棒４０３に一体に設けられているので、導光板４０４をスピーカ４１５の前面の全域で光らせることができ、そのため、多数の第１の透音穴３１の多数の第１の透音穴３１の全てから、光を前方へ導くことができる。
【００５７】
また、導光板４０４に、第１の透音穴３１に対応する第２の透音穴４３１が多数形成されているので、スピーカ４１５から発せられた音を前カバー１６の前方へ良好に導きながら、スピーカ４１５の前面の全域を光らせることができる。
以上、この発明の４つの実施形態について説明したが、この発明はさらに他の形態で実施することもできる。
【００５８】
たとえば、第１〜第３の実施形態において、センターキャップ３２が透明であるとして説明したが、センターキャップ３２は半透明であってもよく、すなわち、センターキャップ３２が透光性を有していればよい。
また、第１〜第３の実施形態において、センターキャップ３２を廃止してもよい。
また、第４の実施形態において、センターキャップを設けないものとして説明したが、ボイスコイル１９の前面を覆うセンターキャップを設けてもよい。センターキャップは、ボイスコイル１９の前面のうち第２の導光棒４０３の存在しない部分を覆う。この場合、センターキャップは、周方向に分割されていることが、その着脱性の観点から望ましい。
【００５９】
前述の第１〜第４の実施形態において、前カバー１６が不透光性を有しているとして説明したが、前カバー１６が透光性を有していてもよい。この場合、前カバー１６の全域が透光性を有している必要はなく、その一部が透光性を有していればよい。
第３の実施形態の第１の導光棒３０３を円筒棒状として説明したが、第１の導光棒３０３は円柱棒状であってもよい。また、棒状であるなら、それ以外の形状を有していてもよい。同様に、第４の実施形態の第２の導光棒４０３を円柱棒状として説明したが、第２の導光棒４０３は円筒棒状であってもよい。また、棒状であるなら、それ以外の形状を有していてもよい。
【００６０】
また、前述の各実施形態において、スピーカ装置１０（スピーカ）が、その放音方向が弾球遊技機１の前方と一致するような姿勢をなしているものとして説明したが、スピーカ装置１０（スピーカ）の報音方向が、弾球遊技機１の前方に対して傾斜していてもよい。
また、前述の各実施形態では、スピーカ装置１０を前扉６の上部に一対配置するとしたが、前扉６の上部以外の箇所に配置することもでき、また、その個数も２個に限られず、１個であってもよいし、３個以上であってもよい。さらには、スピーカ装置１０を弾球遊技機１の前扉６以外（たとえば、下部開閉板７の前面）に配置することもできる。
【００６１】
また、前述の各実施形態では、発光体としてＬＥＤ（発光ダイオード）を採用したが、ＬＥＤ以外の発光体（たとえば、白熱灯、蛍光灯、ＥＬ（Ｅｌｅｃｔｒｏ  Ｌｕｍｉｎｅｓｃｅｎｔ）素子などを搭載してもよい。
また、前述の説明では、スピーカ１５，２３５，３３５，４３５がダイナミックスピーカであるとして説明したが、スピーカ１５，２３５，３３５，４３５としてマグネチックスピーカの態様を採用するしてもよい。
【００６２】
また、前述の説明では、遊技機として弾球遊技機１を例に挙げて説明したが、この発明は弾球遊技機に限られず、スロットマシンに代表される回胴式遊技機などの他の遊技機にも適用できる。
その他、特許請求の範囲に記載された事項の範囲で種々の設計変更を施すことが可能である。
【符号の説明】
【００６３】
１    弾球遊技機（遊技機）
１５    スピーカ
１６    前カバー
１８    振動板
１８Ａ  内周部（中央部）
１９    ボールコイル
２０    磁気回路
２４    ポールピース
３２    センターキャップ
３４    第１の空間
３５    第２の空間
３６    第３の空間
３７    第１のＬＥＤ（発光体）
２１５    スピーカ
２３７    第２のＬＥＤ（発光体）
３０３    第１の導光棒
３０６    第１の後端面
３１５    スピーカ
３３７    第３のＬＥＤ（発光体）
４０３    第２の導光棒
４０４    導光板
４０６    第２の後端面
４１５    スピーカ
４３７    第４のＬＥＤ（発光体）
【図１】
2017000244.tif 000003
【図２】
2017000244.tif 000004
【図３】
2017000244.tif 000005
【図４】
2017000244.tif 000006
【図５】
2017000244.tif 000007
【図６】
2017000244.tif 000008
【図７】
2017000244.tif 000009